(57)【要約】【課題】商品陳列棚の上面に商品を陳列する作業の作業性を向上させ、しかも、商品を陳列する作業の作業性を向上させるため機構を簡単な構成とする。【解決手段】前面に商品出し入れ口が形成されたショーケース本体と、第１回動位置と第２回動位置とに上下方向回動可能な上下複数段の商品陳列棚４と、商品陳列棚４の後端側が取付けられる棚取付部５と、商品陳列棚４を棚取付部５に取付ける支軸１５と、商品陳列棚４に設けられ、支軸が挿通されるとともに商品陳列棚の前後方向に長い長孔１０と、商品陳列棚に設けられた第２回動位置固定用突部１６と、棚取付部５に設けられ、商品陳列棚４が第２回動位置に回動するとともに支軸が長孔内を相対的に移動して商品陳列棚４がショーケース本体内の奥側に移動した場合に第２回動位置固定用突部１６に当接して商品陳列棚４の前端側が下向きに回動することを規制する第２回動位置固定用当接部１７とを有する。【選択図】図３
2014239733.tif 000002
【特許請求の範囲】
【請求項１】
前面に商品出し入れ口が形成されたショーケース本体と、
前記ショーケース本体内に配置され、上面に商品が陳列される第１回動位置と、前記商品出し入れ口側に位置する前端側が上向きに傾斜する第２回動位置とに上下方向回動可能な上下複数段の商品陳列棚と、
前記ショーケース本体内の奥側に設けられ、前記商品陳列棚の後端側が取付けられる棚取付部と、
水平向きの軸心を有し、前記商品陳列棚を前記棚取付部に上下方向回動可能に取付ける支軸と、
前記商品陳列棚に設けられ、前記支軸が挿通されるとともに前記商品陳列棚の前後方向に長い長孔と、
前記商品陳列棚に設けられた第２回動位置固定用突部と、
前記棚取付部に設けられ、前記商品陳列棚が前記第２回動位置に回動するとともに前記支軸が前記長孔内を相対的に移動して前記商品陳列棚が前記ショーケース本体内の奥側に移動した場合に前記第２回動位置固定用突部に当接して前記商品陳列棚の前端側が下向きに回動することを規制する第２回動位置固定用当接部と、
を有することを特徴とするショーケース。
【請求項２】
前記棚取付部に設けられた棚取付部側第１回動位置固定用当接部と、
前記商品陳列棚に設けられ、この商品陳列棚が前記第１回動位置に回動した場合に前記棚取付部側第１回動位置固定用当接部に当接して前記商品陳列棚の前端側が下向きに回動することを規制する棚側第１回動位置固定用当接部と、
を備えることを特徴とする請求項１記載のショーケース。
【請求項３】
前記商品陳列棚の横幅寸法が前記商品出し入れ口の横幅寸法より大きく形成されていることを特徴とする請求項１又は２記載のショーケース。
【発明の詳細な説明】
【技術分野】
【０００１】
本発明は、ショーケース本体内に上下方向に配置された複数段の商品陳列棚を有するショーケースに関する。
【背景技術】
【０００２】
従来、商品を販売するスーパーマーケットやその他の店舗では、ショーケース本体の前面に商品を出し入れする商品出し入れ口が形成され、ショーケース本体内に商品が陳列される上下複数段の商品陳列棚が配置されたショーケースが使用されている。
【０００３】
このようなショーケースでは、上下の商品陳列棚の間隔が狭いために商品陳列棚の上面に商品を陳列する作業に手間がかかる場合がある。そこで、商品陳列棚の上面に商品を陳列する作業の作業性を向上させるために様々な工夫がなされている。
【０００４】
例えば、下記特許文献１、２に記載されたショーケースでは、各商品陳列棚が前後方向にスライド可能に設けられている。そして、或る商品陳列棚の上面に商品を陳列する場合には、商品を陳列する商品陳列棚を前方位置にスライドさせることによりその商品陳列棚の上方を開放し、上方が開放された商品陳列棚上に商品を陳列している。
【０００５】
また、下記特許文献３に記載された載置棚装置では、各商品陳列棚はその前端側が上下動する向きに回動可能に設けられている。そして、或る商品陳列棚上に商品を陳列する場合には、商品を陳列する商品陳列棚の上方に位置する他の商品陳列棚を上方位置へ回動させることにより商品を陳列する商品陳列棚の上方を開放し、上方が開放された商品陳列棚上に商品を陳列している。
【先行技術文献】
【特許文献】
【０００６】
【特許文献１】特開平０９−２３９５３号公報
【特許文献２】特開平０５−１３０９２７号公報
【特許文献３】特開平０５−８９２３２号公報
【発明の概要】
【発明が解決しようとする課題】
【０００７】
しかしながら、特許文献１、２に記載されたショーケースでは、商品陳列棚の横幅寸法を商品出し入れ口の横幅寸法より小さくしなければならず、商品出し入れ口に開閉可能なドアを設けたショーケースや、商品出し入れ口の横幅方向の中央部に支柱が設けられたショーケースでは、ショーケース内の両側部分や支柱の後側部分に商品陳列棚を設置できないため、ショーケースの横幅方向の全体を商品陳列のために有効に利用することができない。
【０００８】
また、特許文献３に記載された載置棚装置では、商品陳列棚を２つの上下方向回動位置（商品が陳列されている略水平回動位置と、下側の商品陳列棚に対して商品の陳列作業を行うための上方回動位置）で位置固定するための機構として、係止孔に係止可能な先端頭部を有する摺動可能な回動調整軸、先端頭部が係止孔に係止する向きに回動調整軸を付勢するスプリング材、回動調整軸を抜け止めするピン等を有しており、複雑な機構となっている。さらに、経年劣化等によりスプリング材の付勢力が低下した場合には、商品陳列時の振動等により回動調整軸の先端頭部が係止孔から抜け落ち、商品陳列棚が下向きに回動するおそれがある。
【０００９】
本発明は、このような課題を解決するためになされたものであり、その目的は、商品陳列棚の上面に商品を陳列する作業の作業性を向上させることができ、しかも、商品を陳列する作業の作業性を向上させるため機構を簡単な構成とすることができるショーケースを提供することである。
【課題を解決するための手段】
【００１０】
本発明に係るショーケースは、前面に商品出し入れ口が形成されたショーケース本体と、前記ショーケース本体内に配置され、上面に商品が陳列される第１回動位置と、前記商品出し入れ口側に位置する前端側が上向きに傾斜する第２回動位置とに上下方向回動可能な上下複数段の商品陳列棚と、前記ショーケース本体内の奥側に設けられ、前記商品陳列棚の後端側が取付けられる棚取付部と、水平向きの軸心を有し、前記商品陳列棚を前記棚取付部に上下方向回動可能に取付ける支軸と、前記商品陳列棚に設けられ、前記支軸が挿通されるとともに前記商品陳列棚の前後方向に長い長孔と、前記商品陳列棚に設けられた第２回動位置固定用突部と、前記棚取付部に設けられ、前記商品陳列棚が前記第２回動位置に回動するとともに前記支軸が前記長孔内を相対的に移動して前記商品陳列棚が前記ショーケース本体内の奥側に移動した場合に前記第２回動位置固定用突部に当接して前記商品陳列棚の前端側が下向きに回動することを規制する第２回動位置固定用当接部と、を有することを特徴とする。
【００１１】
また、前述の本発明に係るショーケースにおいて、前記棚取付部に設けられた棚取付部側第１回動位置固定用当接部と、前記商品陳列棚に設けられ、この商品陳列棚が前記第１回動位置に回動した場合に前記棚取付部側第１回動位置固定用当接部に当接して前記商品陳列棚の前端側が下向きに回動することを規制する棚側第１回動位置固定用当接部と、を備えることが望ましい。
【００１２】
また、前述の本発明に係るショーケースにおいて、前記商品陳列棚の横幅寸法が前記商品出し入れ口の横幅寸法より大きく形成されていることが望ましい。
【発明の効果】
【００１３】
本発明に係るショーケースによれば、商品陳列棚を支軸の回りに前端側が上向きに傾斜する第２回動位置に回動させることにより、回動させた商品陳列棚の下側に位置する他の商品陳列棚の上方が開放され、他の商品陳列棚上に商品を陳列する作業の作業性を向上させることができる。商品陳列棚を前端側が上向きに傾斜する第２回動位置に回動させた後、支軸が長孔内を相対的に移動するように商品陳列棚をショーケース本体内の奥側に移動させ、商品陳列棚の第２回動位置固定用突部を棚取付部の第２回動位置固定用当接部に当接させることにより、商品陳列棚がその前端側を下向きとする向きに回動することが規制され、回動させた商品陳列棚が第２回動位置で保持される。商品陳列棚の第２回動位置での保持を、商品陳列棚に長孔と第２回動位置固定用突部とを設けるとともに、棚取付部に第２回動位置固定用当接部を設けるという簡単な構成により行うことができる。
【００１４】
また、商品陳列棚が第１回動位置に回動した場合には、棚取付部に設けられた棚取付部側第１回動位置固定用当接部が商品陳列棚に設けられた棚側第１回動位置固定用当接部に当接することにより、商品陳列棚を第１回動位置で安定して保持することができる。
【００１５】
また、商品陳列棚の横幅寸法が商品出し入れ口の横幅寸法より大きく形成されている場合でも、商品陳列棚を上下方向へ回動させることができるので商品陳列棚上へ商品を陳列する作業の作業性を向上させることができ、しかも、ショーケース本体内の横幅方向の全体を商品陳列のために有効に利用することができる。
【図面の簡単な説明】
【００１６】
【図１】本発明の一実施形態のショーケースを示す斜視図である。
【図２】第１回動位置に回動した商品陳列棚とケース本体側ブラケットとを示す側面図である。
【図３】第２回動位置に回動した商品陳列棚とケース本体側ブラケットとを示す側面図である。
【図４】棚側ブラケットとケース本体側ブラケットとを示す分解斜視図である。
【発明を実施するための形態】
【００１７】
本発明の一実施形態のショーケースについて、図面に基づいて説明する。図１に示すように、ショーケース１は、前面に商品出し入れ口２が形成されたショーケース本体３を有し、ショーケース本体３内には左右一対ずつ上下複数段の商品陳列棚４が配置されている。各商品陳列棚４は、上面に販売する商品が陳列される略水平向きである第１回動位置と、商品出し入れ口２側に位置する前端側が上向きに傾斜する第２回動位置とに上下方向回動可能に設けられている。図１は、最上段の一対の商品陳列棚４が第２回動位置に回動し、それ以外の商品陳列棚４が第１回動位置に回動している状態を示している。
【００１８】
ショーケース本体３の奥側には、商品陳列棚４の後端側が取付けられる棚取付部であるケース本体側ブラケット５が取付けられている。また、商品陳列棚４の横幅寸法“ａ”は、商品出し入れ口２の横幅寸法“ｂ”より大きく形成されている。
【００１９】
図２は、第１回動位置に回動して略水平向きとした商品陳列棚４とケース本体側ブラケット５とを示している。商品陳列棚４は、左右一対の棚側ブラケット６と、この一対の棚側ブラケット６に跨って配置された棚本体７とを有し、これらの棚側ブラケット６と棚本体７とは図示しないネジにより固定されている。棚本体７には、商品陳列棚４の前端側に位置する棚フェンス８が取付けられている。この棚フェンス８は、商品陳列棚４上に陳列された商品が商品陳列棚４の前端側から落下することを防止するために設けられている。また、棚側ブラケット６には、棚側第１回動位置固定用当接部９と商品陳列棚４の前後方向に長い長孔１０とが設けられている。棚側第１回動位置固定用当接部９は、棚側ブラケット６の一部を折り曲げることにより設けられている。
【００２０】
ケース本体側ブラケット５には、引掛け爪１１と棚取付部側第１回動位置固定用当接部１２とが設けられている。ケース本体側ブラケット５は、引掛け爪１１をショーケース本体３の背面板１３に形成された棚取付孔１４に挿入して引っ掛けることによりショーケース本体３に取付けられている。棚取付部側第１回動位置固定用当接部１２は、ケース本体側ブラケット５の一部を折り曲げることにより設けられている。
【００２１】
ケース本体側ブラケット５と棚側ブラケット６とは、左右方向水平向きの軸心を有する支軸である段付ビス１５により、この段付ビス１５を支点として上下方向回動可能に連結されている。段付ビス１５は長孔１０に挿通され、後述するように商品陳列棚４を前後方向に移動させた場合に長孔１０の長手方向に沿って長孔１０内を相対的に移動可能に設けられている。
【００２２】
商品陳列棚４が第１回動位置に回動している場合、棚側第１回動位置固定用当接部９と棚取付部側第１回動位置固定用当接部１２との対向する面が当接されている。
【００２３】
図３は、第２回動位置に回動して前端側が上向きに傾斜する商品陳列棚４とケース本体側ブラケット５とを示している。商品陳列棚４の一部である棚側ブラケット６には第２回動位置固定用突部１６が設けられ、ケース本体側ブラケット５には第２回動位置固定用当接部１７が設けられている。第２回動位置固定用突部１６は、棚側ブラケット６の一部を
折り曲げることにより設けられている。第２回動位置固定用当接部１７は、ケース本体側ブラケット５の一部を凹んだ形状とすることにより設けられている。商品陳列棚４を第２回動位置に回動させるとともに段付ビス１５が長孔１０内を相対的に移動するように商品陳列棚４をショーケース本体３内の奥側に移動させることにより、第２回動位置固定用突部１６の下面部が第２回動位置固定用当接部１７に当接する。
【００２４】
図４は、ケース本体側ブラケット５と棚側ブラケット６とを分解して示している。ケース本体側ブラケット５には、上述したように引掛け爪１１、棚取付部側第１回動位置固定用当接部１２、第２回動位置固定用当接部１７が設けられ、さらに、段付ビス１５が挿通される丸孔形状の挿通孔１８が設けられている。また、ケース本体側ブラケット５には、上述したように棚側第１回動位置固定用当接部９、長孔１０、第２回動位置固定用突部１６が設けられている。ケース本体側ブラケット５と棚側ブラケット６とは、長孔１０と挿通孔１８とに挿通される段付ビス１５によりこの段付ビス１５を支点として回動可能に連結されている。
【００２５】
このような構成において、ショーケース本体３内に配置されて上面に商品が陳列された商品陳列棚４は略水平向きとなる第１回動位置に回動しており、商品陳列棚４上に陳列された商品は顧客により商品出し入れ口２から取出される。
【００２６】
商品陳列棚４が第１回動位置に回動している場合には、図２に示すように棚側第１回動位置固定用当接部９と棚取付部側第１回動位置固定用当接部１２との対向する面が当接され、この当接により商品陳列棚４は前端側が下向きに回動することが規制され、商品陳列棚４は第１回動位置に安定して保持される。
【００２７】
商品陳列棚４の上面に商品を陳列する場合には、図２に示した第１回動位置に回動している商品陳列棚４に対して矢印Ａ方向向きの力を加える。これにより、商品陳列棚４は段付ビス１５を支点として回動し、図３に示すように、先端側が上向きに傾斜するとともに棚側第１回動位置固定用当接部９と棚取付部側第１回動位置固定用当接部１２とが離反する。そして、商品陳列棚４を第２回動位置に回動させて第２回動位置固定用突部１６を第２回動位置固定用当接部１７より上方位置に位置させた後、その回動角度を維持したまま商品陳列棚４を図３において矢印Ｂで示すようにショーケース本体３内の奥側に移動させる。この場合、段付ビス１５が長孔１０内を相対的に移動し、第２回動位置固定用突部１６の下面が第２回動位置固定用当接部１７に当接される。
【００２８】
第２回動位置固定用突部１６の下面が第２回動位置固定用当接部１７に当接されることにより、商品陳列棚４は段付ビス１５を支点として前端側が下向きに回動することが規制され、第２回動位置で安定して保持される。
【００２９】
或る商品陳列棚４を第２回動位置に回動させることにより、回動した商品陳列棚４の下側に位置して第１回動位置に回動している他の商品陳列棚４の上方が開放されることにより、上方を開放された商品陳列棚４の上面に商品を陳列する作業の作業性を向上させることができる。
【００３０】
第２回動位置に回動させた商品陳列棚４の下側に位置して第１回動位置に回動している他の商品陳列棚４の上面に商品を陳列した後は、第２回動位置に回動させた商品陳列棚４を図３で示した矢印Ｂ方向と反対方向に移動させ、第２回動位置固定用突部１６の下面を第２回動位置固定用当接部１７から離反させる。その後、商品陳列棚４を段付ビス１５を支点として下向きに回動させ、商品陳列棚４を第１回動位置に回動させることにより一つの商品陳列棚４の上面への商品の陳列作業が終了する。
【００３１】
このショーケース１においては、商品陳列棚４を第２回動位置で保持する機構を、商品陳列棚４に長孔１０と第２回動位置固定用突部１６とを設けるとともに、ケース本体側ブラケット５に第２回動位置固定用当接部１７を設けるという簡単な構成とすることができる。また、商品陳列棚４を第１回動位置で保持する機構を、商品陳列棚４に棚側第１回動位置固定用当接部９を設けるとともにケース本体側ブラケット５に棚取付部側第１回動位置固定用当接部１２を設けるという簡単な構成とすることができる。
【００３２】
また、このショーケース１においては、商品陳列棚４の上面に商品を陳列する場合にはショーケース本体３内で商品陳列棚４を上下方向に回動させる構成であるため、商品陳列棚４の横幅寸法“ａ”が商品出し入れ口２の横幅寸法“ｂ”より大きく形成されていても、商品陳列棚４上への商品の陳列を支障なく行うことができる。しかも、商品陳列棚４の横幅寸法“ａ”が商品出し入れ口２の横幅寸法“ｂ”より大きく形成されていることにより、ショーケース本体３内の横幅方向の全体を商品陳列のために有効に利用することができ、ショーケース本体３内に商品の陳列に利用されないデッドスペースが生じることを防止できる。
【００３３】
なお、本実施の形態では、第１回動位置に回動して棚側第１回動位置固定用当接部９を棚取付部側第１回動位置固定用当接部１２に当接させた商品陳列棚４が略水平向きとなる場合を例に挙げて説明したが、棚側第１回動位置固定用当接部９と棚取付部側第１回動位置固定用当接部１２との角度を変更することにより、第１回動位置に回動した商品陳列棚４を先端側が前下がりになるように傾斜させてもよい。
【００３４】
また、本実施の形態では、オープンタイプのショーケース１を例に挙げて説明したが、ガラス扉を備えたリーチインショーケースにおいても本発明を適用することができる。
【００３５】
また、本発明は、前述の実施形態に限るものではなく、その要旨を逸脱しない範囲において種々変更可能である。例えば、前述の実施形態に示される全構成要素から幾つかの構成要素を削除してもよく、さらに、異なる実施形態に係る構成要素を適宜組み合わせてもよい。
【符号の説明】
【００３６】
１    ショーケース
２    商品出し入れ口
３    ショーケース本体
４    商品陳列棚
５    ケース本体側ブラケット（棚取付部）
６    棚側ブラケット
７    棚本体
８    棚フェンス
９    棚側第１回動位置固定用当接部
１０    長孔
１１    爪
１２    棚取付部側第１回動位置固定用当接部
１３    背面板
１４    棚取付孔
１５    段付ビス（支軸）
１６    第２回動位置固定用突部
１７    第２回動位置固定用当接部
１８    挿通孔
【図１】
2014239733.tif 000003
【図２】
2014239733.tif 000004
【図３】
2014239733.tif 000005
【図４】
2014239733.tif 000006